(57)【要約】【課題】特別な位置検出が不要で簡単に特定エリアを検出し移動機のモード制御が行えること。【解決手段】移動機１００は、信号受信部１０１と、エリア内外判定部１０２と、モード制御部１０３とを含み、複数の基地局から受信した信号に基づき、現在位置が特定エリアであるか否かを判断し、特定エリア内のときには信号に含まれる動作モードに基づき装置の動作モードを切り替える。信号には、特定エリアの識別情報と、特定エリア内での動作モードの情報と、動作モードを実行するために必要な複数の基地局から受信した信号数の情報とを含む。【選択図】図１
2017204841.tif 000002
【特許請求の範囲】
【請求項１】
複数の基地局から受信した信号に基づき、現在位置が特定エリアであるか否かを判断し、前記特定エリア内のときには前記信号に含まれる動作モードに基づき装置の動作モードを切り替える制御部を備える、
ことを特徴とする移動機。
【請求項２】
前記信号には、前記特定エリアの識別情報と、前記特定エリア内での動作モードの情報と、前記動作モードを実行するために必要な複数の前記基地局から受信した信号数の情報とを含み、
前記制御部は、前記識別情報と、前記動作モードの情報と、前記信号数の情報とに基づき、前記動作モードへの移行を判断する、
ことを特徴とする請求項１に記載の移動機。
【請求項３】
前記制御部は、さらに、前記信号数の情報を複数の前記基地局から所定期間継続して受信することで、前記動作モードへの移行を判断する、
ことを特徴とする請求項２に記載の移動機。
【請求項４】
前記制御部は、前記動作モードへの移行時には、前記特定エリアに進入する以前の動作モードの情報を退避保持し、前記特定エリアからの退出時には、退避保持した動作モード情報に復旧させる、
ことを特徴とする請求項１〜３のいずれか一つに記載の移動機。
【請求項５】
前記制御部は、現在の動作モードの情報を格納するモード情報設定領域と、以前の動作モードの情報を退避格納するモード情報退避領域と、を含み、
前記モード情報設定領域に設定された動作モードの情報にしたがった動作モードで装置の動作を制御し、
前記特定エリア外への退出時には、前記モード情報退避領域に退避格納した前記以前の動作モードの情報を前記モード情報設定領域に書き戻す、
ことを特徴とする請求項４に記載の移動機。
【請求項６】
前記制御部は、現在の動作モードの情報を格納するモード情報設定領域を含み、
以前の動作モードの情報を外部機器に送信し、外部機器のモード情報退避領域で保持させ、前記モード情報設定領域に設定された動作モードの情報にしたがった動作モードで装置の動作を制御し、
前記特定エリア外への退出時には、前記外部機器から前記以前の動作モードの情報を受信し、前記モード情報設定領域に書き戻す、
ことを特徴とする請求項４に記載の移動機。
【請求項７】
前記制御部は、あらかじめ複数の種別の動作モードの情報をプリセット記憶し、前記信号に含まれる動作モードに対応した動作モードの情報に基づき装置の動作を制御する、
ことを特徴とする請求項１〜６のいずれか一つに記載の移動機。
【請求項８】
前記制御部は、前記信号に含まれる動作モードに対応した動作モードの情報を外部機器から取得し、取得した前記動作モードの情報に基づき装置の動作を制御する、
ことを特徴とする請求項１〜６のいずれか一つに記載の移動機。
【請求項９】
移動機と、複数の基地局とを含むネットワークシステムにおいて、
前記移動機は、複数の前記基地局から受信した信号に基づき、現在位置が特定エリアであるか否かを判断し、前記特定エリア内のときには前記信号に含まれる動作モードに基づき装置の動作モードを切り替える制御部を備え、
複数の前記基地局は、それぞれ電波の到達範囲を一部重ならせ、重なった部分を前記特定エリアとして設定し、それぞれ同一の前記特定エリアの識別情報と、前記特定エリア内での動作モードの情報と、前記動作モードを実行させるために必要な複数の前記基地局から受信すべき信号数の情報とを含み、前記移動機に送信する、
ことを特徴とするネットワークシステム。
【請求項１０】
さらに、前記移動機に通信接続するサービスサイトを含み、
前記移動機は、現在の動作モードの情報を格納するモード情報設定領域を含み、以前の動作モードの情報を前記サービスサイトに送信し、
前記サービスサイトは、受信した以前の動作モードの情報を前記モード情報退避領域に保持し、
前記移動機は、前記モード情報設定領域に設定された動作モードの情報にしたがった動作モードで装置の動作を制御し、前記特定エリア外への退出時には、前記サービスサイトから前記以前の動作モードの情報を受信し、前記モード情報設定領域に書き戻す、
ことを特徴とする請求項９に記載のネットワークシステム。
【請求項１１】
前記サービスサイトは、前記移動機の複数の種別の動作モードの情報をプリセット記憶し、
前記移動機からの要求時に、対応した動作モードの情報を前記移動機に送信する、
ことを特徴とする請求項９または１０に記載のネットワークシステム。
【請求項１２】
複数の前記基地局は、
前記特定エリアの形状にしたがい、前記特定エリア部分にそれぞれの通信範囲が重なるよう配置したことを特徴とする請求項９〜１１のいずれか一つに記載のネットワークシステム。
【請求項１３】
前記特定エリアが多角形形状であり、複数の前記基地局は、多角形形状の前記特定エリア部分にそれぞれの通信範囲の端が重なるよう配置したことを特徴とする請求項１２に記載のネットワークシステム。
【請求項１４】
前記特定エリアが細長い形状であり、複数の前記基地局は、細長い形状の前記特定エリア部分にそれぞれの通信範囲の端が重なるよう配置したことを特徴とする請求項１２に記載のネットワークシステム。
【請求項１５】
前記特定エリアが高さを有する３次元形状であり、複数の前記基地局は、高さを有する前記特定エリア部分の所定高さ部分にそれぞれの通信範囲の端が重なるよう配置したことを特徴とする請求項１２に記載のネットワークシステム。
【請求項１６】
移動機が実行する動作モード制御方法において、
前記移動機は、複数の基地局から受信した信号に基づき、現在位置が特定エリアであるか否かを判断し、前記特定エリア内のときには前記信号に含まれる動作モードに基づき自装置の動作モードを切り替える、
ことを特徴とする動作モード制御方法。
【請求項１７】
移動機と、複数の基地局とを含むネットワークシステムにおける移動機の動作モード制御方法において、
前記移動機は、複数の前記基地局から受信した信号に基づき、現在位置が特定エリアであるか否かを判断し、前記特定エリア内のときには前記信号に含まれる動作モードに基づき装置の動作モードを切り替え、
複数の前記基地局は、それぞれ電波の到達範囲を一部重ならせ、重なった部分を前記特定エリアとして設定し、それぞれ同一の前記特定エリアの識別情報と、前記特定エリア内での動作モードの情報と、前記動作モードを実行させるために必要な複数の前記基地局から受信すべき信号数の情報とを含み、前記移動機に送信する、
ことを特徴とする動作モード制御方法。
【発明の詳細な説明】
【技術分野】
【０００１】
本発明は、特定エリアでの動作を制御する移動機、ネットワークシステムおよび移動機の動作モード制御方法に関する。
【背景技術】
【０００２】
携帯電話機等の移動機には、電車内や公共の場において着信音を抑止するマナーモードや、飛行機内でインターネットアクセスを抑制する機内モードなどが用意されているが、モードの設定・解除の操作は、使用者のマナーに委ねられている。これらマナーモードに変えたり、戻したりする操作は、ユーザ操作が必要で煩わしい。特定エリア内に入った時に自動的に特定エリアに適したモードに遷移し、また、特定エリア内から外に移動した時に元のモードに戻る機能やサービスが要望されている。
【０００３】
また、移動機が現在どこに位置しているかを識別する方法としては、ＧＰＳによる移動機の位置検出や、移動機の在圏する基地局からの電波到達範囲等が用いられる。従来、映画館や病院など特定エリアに移動機が入ったことをＧＰＳや基地局の電波到達範囲に基づき検出し、移動機のモードを切り替える技術が開示されている（例えば、下記特許文献１，２参照。）。
【先行技術文献】
【特許文献】
【０００４】
【特許文献１】特開２００７−２３５４９４号公報
【特許文献２】特開２００７−３７０４５号公報
【発明の概要】
【発明が解決しようとする課題】
【０００５】
しかし、従来の技術では、特定エリアでの移動機のモードを切り替えるために、移動機は、位置検出用に特別にＧＰＳ機能が必要となりかつＧＰＳ機能を動作させておく必要がある。また、基地局からの電波の到達範囲に基づき位置を検出する場合、電波の到達範囲は略円形となるため、各種形状の特定エリア、例えば、三角形や細い特定エリアでのモード制御が行えない。また、ＧＰＳ、電波の到達範囲に基づく位置検出では高さ方向を含む３次元の特定エリアでのモード制御が行えない。
【０００６】
一つの側面では、本発明は、特別な位置検出が不要で簡単に特定エリアを検出し移動機のモード制御が行えることを目的とする。
【課題を解決するための手段】
【０００７】
一つの案では、移動機は、複数の基地局から受信した信号に基づき、現在位置が特定エリアであるか否かを判断し、前記特定エリア内のときには前記信号に含まれる動作モードに基づき装置の動作モードを切り替える制御部を備える、ことを要件とする。
【発明の効果】
【０００８】
一つの実施形態によれば、特別な位置検出が不要で簡単に特定エリアを検出し移動機のモード制御が行えるという効果を奏する。
【図面の簡単な説明】
【０００９】
【図１】図１は、実施の形態にかかる移動機の機能を示すブロック図である。
【図２】図２は、実施の形態にかかる移動機のハードウェア構成例を示す図である。
【図３】図３は、実施の形態にかかるサービスサイトのハードウェア構成例を示す図である。
【図４】図４は、実施の形態にかかる移動機およびサービスサイトの他の機能構成例を示すブロック図である。
【図５Ａ】図５Ａは、実施の形態にかかる移動機における制御情報に基づく動作内容を示すフローチャートである。（その１）
【図５Ｂ】図５Ｂは、実施の形態にかかる移動機における制御情報に基づく動作内容を示すフローチャートである。（その２）
【図６】図６は、実施の形態にかかる移動機が受信する制御情報の内容例を示す図である。
【図７】図７は、実施の形態にかかる移動機の位置判定を説明する図である。（その１）
【図８】図８は、実施の形態にかかる移動機の位置判定を説明する図である。（その２）
【図９】図９は、実施の形態にかかる移動機の位置判定を説明する図である。（その３）
【図１０】図１０は、実施の形態にかかるモード情報の設定例を示すシーケンス図である。
【図１１】図１１は、実施の形態にかかる移動機が送信する通信情報の内容例を示す図である。
【図１２】図１２は、実施の形態にかかる移動機の移動時の基地局からの信号受信数の変化を示す図である。
【図１３】図１３は、図１２に対応する移動機の移動時の基地局からの信号受信数の変化を示すシーケンス図である。
【図１４】図１４は、実施の形態にかかる移動機に対するエリア内外判定部での判定状態を説明する図である。
【図１５】図１５は、実施の形態にかかる移動機のモード設定にかかる動作例を示すフローチャートである。
【図１６】図１６は、実施の形態にかかる移動機のモード設定解除にかかる動作例を示すフローチャートである。
【図１７】図１７は、実施の形態にかかる移動機のモード制御によるモード情報のデータ移動状態を説明する図である。
【図１８】図１８は、実施の形態にかかる各種形状の特定エリアの構築例を示す図である。（その１）
【図１９】図１９は、実施の形態にかかる各種形状の特定エリアの構築例を示す図である。（その２）
【図２０】図２０は、実施の形態にかかる各種形状の特定エリアの構築例を示す図である。（その３）
【発明を実施するための形態】
【００１０】
（実施の形態）
実施の形態の移動機は、基地局と無線通信を行い、外部装置であるサービスサイトと通信を行う。サービスサイトには、特定エリアに位置した際の移動機の動作状態（マナーモード等の動作モード）の移行を支援し、必要な情報を移動機との間で送受信する。移動機は、複数の基地局が送信する信号に基づき、特定エリア内であるか否かを判定する。そして、移動機は、現在の位置が特定エリア内であると判定すると、特定エリア内で所定の動作状態に移行する制御を行う。この際、移動機は、基地局やサービスサイトの制御を受けずに、自律的に動作モードを変更することができる。
【００１１】
図１は、本発明の実施の形態にかかる移動機の機能を示すブロック図である。図１には、携帯電話機等の移動機１００の機能のうち、実施の形態にかかるエリア別のモード制御の関連部を主に記載してある。
【００１２】
移動機１００は、信号受信部１０１と、エリア内外判定部１０２と、モード制御部１０３と、を含む。信号受信部１０１は、移動機が通信可能な複数の基地局が送信する制御情報を受信し、エリア内外判定部１０２に出力する。
【００１３】
エリア内外判定部１０２は、複数の基地局が送信する制御情報に基づき、現在の移動機１００が特定エリア内に位置しているか否かを判定し、特定エリア内に位置していると判定したときには、モード制御部１０３によるモード制御を実行させる。
【００１４】
モード制御部１０３は、複数の基地局が送信する制御情報に基づき、移動機１００に対するモード制御の発動を所定の条件を用いて判定し、モード制御を発動すると判定した場合には、制御情報に含まれるモード情報が示す動作状態となるよう移動機１００を動作制御する。
【００１５】
モード制御部１０３は、複数の情報設定部として、モード情報設定領域１１１と、モード情報退避領域１１２と、プリセットモード情報領域１１３を有する。モード情報設定領域１１１は、制御情報に含まれる特定エリア内での移動機１００に対する動作状態（モード情報）を設定（格納）する。移動機１００は、モード情報設定領域１１１にモード情報が設定されると、このモード情報に対応した動作状態（例えば、特定エリア内でのマナーモード）となる。モード情報退避領域１１２は、移動機１００のモード制御実施前の動作状態（モード情報）を退避（格納）し、特定エリア外に退避したときに、以前の移動機１００の動作状態に戻すために用いられる。
【００１６】
また、移動機１００は、あらかじめ特定エリア内での移動機１００に対する複数（ｎ）のモード情報をプリセットモード情報領域１１３にプリセット設定しておくこともできる。例えば、プリセットされるモード情報としては、マナーモードや、歩きスマホができないＷｅｂ接続停止モードや、通話を停止する通話停止モードなどがある。
【００１７】
図２は、実施の形態にかかる移動機のハードウェア構成例を示す図である。移動機１００は、例えば、ＣＰＵ等のプロセッサ２０１と、ＲＡＭ等のメインメモリ２０２と、フラッシュメモリ等の拡張メモリ２０３と、通信部２０４と、液晶ドライバ２０５とをシステムバス２０６を介してバス接続し構成できる。液晶ドライバ２０５には液晶表示部２０７が接続され、通信内容や各種操作用の情報を表示出力する。
【００１８】
プロセッサ２０１は、例えば、拡張メモリ２０３に格納された制御プログラムを実行することで、移動機１００を統括制御する。制御プログラムには、図１に記載した実施の形態の信号受信部１０１、エリア内外判定部１０２、モード制御部１０３の機能を含む。そして、制御プログラムの実行時、プロセッサ２０１は、メインメモリ２０２を作業領域として用いる。図１に記載したモード制御部の情報設定部（モード情報設定領域１１１と、モード情報退避領域１１２と、プリセットモード情報領域１１３）の機能は、例えば、拡張メモリ２０３を用いて実現できる。
【００１９】
図１に示した移動機１００の各機能は、図２に示したプロセッサ２０１が実行する制御プログラム（アプリケーション）として実装することができるほかに、移動機１００のファームウェア（すなわち、基本機能の一部として）搭載することもできる。
【００２０】
移動機１００と無線通信を行う基地局についても、図２同様のハードウェア構成を有する。基地局は、移動機との無線通信を行う基本機能を有する。また、基地局は、移動機１００と、サービスサイトとの間の通信を仲介して通信接続する機能を有してもよい。
【００２１】
基地局は、移動機１００との間で通信用情報（プロトコル情報）を用いて通常の無線通信を行う。そして、実施の形態の基地局は、この通信用情報の一部に上記の制御情報を付加して移動機１００に送信する。制御情報の詳細は後述するが、特定エリアを識別するエリアＩＤ、エリア内で設定すべきモードの種類、移動機１００でのモード設定のために必要な基地局からの信号数と条件、等の情報が含まれる。
【００２２】
図３は、実施の形態にかかるサービスサイトのハードウェア構成例を示す図である。サービスサイト３００は、特定エリアに位置した際の移動機の動作状態（マナーモード等の動作モード）の移行を支援し、必要な情報を移動機との間で送受信する。サービスサイト３００は、移動機１００と通信接続され、移動機１００の現在の動作状態を管理する。移動機１００は、例えば、ＬＡＮ等を介してインターネット接続によりサービスサイト３００に接続することができる。また、移動機１００は、基地局を介してサービスサイト３００に接続することができる。
【００２３】
サービスサイト３００は、業務サーバ３０１と、データベース（ＤＢ）サーバ３０２と、ＤＢ装置３０３と、ロードバランサ装置３０４と、外部接続スイッチ（ＳＷ）３０５と、を含む。
【００２４】
業務サーバ３０１は、複数設けられ、各業務サーバ３０１は、管理する移動機１００と通信接続し、移動機１００の通信状態や特定エリアにおける移動機１００の動作状態（モード情報）等を監視する。ＤＢサーバ３０２は、複数設けられ、業務サーバ３０１の要求に基づき、ＤＢ装置３０３にアクセスする。複数の業務サーバ３０１は、それぞれ複数のＤＢサーバ３０２にアクセス可能である。
【００２５】
ＤＢサーバ３０２は、ＤＢ装置３０３に対し、移動機１００が特定エリアに位置した場合、移動機１００の現在の動作状態（動作モード）を格納する。なお、移動機１００が特定エリアに位置したか否かは、移動機１００が判断し、移動機１００がサービスサイト３００に伝えられる。
【００２６】
ＤＢサーバ３０２には、例えば、移動機１００が特定エリアに位置したとき、モード制御実施前の動作状態（モード情報）が退避（格納）され、移動機１００が特定エリアから退出したとき、格納しておいた以前の動作状態（モード情報）を移動機１００に送出する。
【００２７】
また、複数の業務サーバ３０１は、複数のロードバランサ装置３０４にアクセス可能であり、ロードバランサ装置３０４および外部接続ＳＷ３０５を介してインターネット等のネットワーク網にアクセス可能である。
【００２８】
サービスサイト３００は、ネットワーク網を介して移動機１００および基地局にアクセス可能である。サービスサイト３００は、基地局が移動機１００に送信する制御情報をあらかじめ基地局に送信する。この制御情報は、特定エリア内で設定するモードの種類、移動機１００でのモード設定のために必要な基地局からの信号数と発動条件、等の情報を含み、基地局は、この制御情報を保持するとともに、移動機１００に送信する。サービスサイト３００は、業務サーバ３０１が基地局に通信接続され、サービスサイト３００が基地局を介して移動機１００に通信接続することもできる。
【００２９】
図４は、実施の形態にかかる移動機およびサービスサイトの他の機能構成例を示すブロック図である。図１に示した移動機１００のモード情報退避領域１１２と、プリセットモード情報領域１１３の機能は、図４に示すように、サービスサイト３００側に設けることもできる。
【００３０】
図４に示すサービスサイト３００の各機能は、図３に示した業務サーバ３０１の内部機能の一部として設けることができる。サービスサイト３００の移動機連携部４０１は、移動機１００と通信接続し、特定エリアに対し進入または退出する際に、移動機１００の動作状態（モード情報等）をネットワーク４１０を介して移動機１００との間で送受信する。
【００３１】
例えば、移動機１００が特定エリアに進入したときには、移動機１００の現在の動作状態（モード情報）をモード情報退避領域４０２に格納し、移動機１００に対し、特定エリアに対応するプリセットモード情報４０３を選択して移動機１００に送信する。
【００３２】
この後、移動機１００が特定エリアから退出したときには、移動機１００に対し、モード情報退避領域４０２に格納しておいた以前の動作状態（モード情報）を移動機１００に送信する。
【００３３】
図１の構成例では、移動機１００にプリセットモード情報領域１１３を有するため、移動機１００が自ら判断して自律的に特定エリアに対応した動作状態（モード情報）に移行することができる。一方、図４の構成例では、サービスサイト３００がプリセットモード情報領域１１３を有するため、移動機１００がプリセットモード情報を保持しておく必要がなくその分メモリ容量を削減でき、また、多数の特定エリアに対応した多数のプリセットモード情報を保持、管理できる。
【００３４】
サービスサイト３００は、移動機連携部４０１により、移動機１００の故障や電池切れ時に、移動機１００のデータのバックアップサイトとしても機能する。
【００３５】
図５Ａ，図５は、実施の形態にかかる移動機における制御情報に基づく動作内容を示すフローチャートである。特定エリア付近に位置する移動機１００のプロセッサ２０１が実行する信号受信部１０１、エリア内外判定部１０２、モード制御部１０３の各機能の動作例を説明する。
【００３６】
はじめに、信号受信部１０１は、通信可能なエリア内の複数の基地局５００が送信する制御情報として、特定エリアを識別するエリアＩＤと、エリアＩＤで設定されるモード情報と、モード設定発動条件と、を抽出する。そして、信号受信部１０１は、制御情報に、移動機１００で観測した受信中の信号数（基地局数に相当）と、各信号の電波強度を付与して、エリア内外判定部１０２に出力する（ステップＳ５０１）。エリアＩＤは、同じモード設定のルールを共有する基地局５００を示す。すなわち、特定エリアで移動機１００が受信可能な複数の基地局５００は同一のエリアＩＤである。
【００３７】
次に、エリア内外判定部１０２は、複数の基地局５００のうち電波強度が一番強い信号のエリアＩＤに対して、同じ受信中の信号数の継続時間のカウントを開始する（ステップＳ５０２）。この際、特定エリア境界位置におけるエリア内外判定のばたつき（不定）を防ぐため、同じ信号受信数で、一定時間を経過するまで待つ（ステップＳ５０２ａのループ）。このように、エリア内外判定部１０２では、特定エリア内における一定時間の経過を待つことで、移動機１００が特定エリアの境界に位置しているときの無駄なモード設定の多発を回避する。
【００３８】
次に、エリア内外判定部１０２は、一定時間が経過したら、モード発動条件と、受信中の信号数を比較する。そして、エリア内外判定部１０２は、発動条件が成立したら、モード制御部１０３に特定エリアで設定されるモード情報の設定を依頼する。一方、発動条件が不成立ならば、モード制御部１０３に特定エリアで設定されるモード情報の解除を依頼する（ステップＳ５０３）。このように、エリア内外判定部１０２は、同じ特定エリアＩＤの基地局からの信号受信数がモード設定発動条件を満たした場合、特定エリアで設定されるモード情報で、モード制御部１０３を起動させる。
【００３９】
次に、モード制御部１０３は、エリア内外判定部１０２からモード情報の設定依頼時には、現在の移動機１００のモード情報をモード情報退避領域１１２に退避させ、特定エリアで設定されるモード情報をモード情報設定領域１１１に設定する。一方、エリア内外判定部１０２からモード情報の解除依頼時には、モード情報退避領域１１２に退避したモード情報で移動機１００の動作状態を以前の状態に復旧させ、モード情報退避領域１１２に設定されたモード情報を消去する（ステップＳ５０４）。
【００４０】
ここで、モード制御部１０３は、モード情報設定領域１１１の未設定時のモード情報の解除依頼、および設定中のモード情報の設定依頼は無視して行わない。
【００４１】
図６は、実施の形態にかかる移動機が受信する制御情報の内容例を示す図である。基地局５００が送信し、移動機１００が受信する信号（フォーマット）６００は、ヘッダ情報と、トレーラ情報のほかに、基地局５００と移動機１００との間の通信に用いる不図示の通信用情報（プロトコル情報）と、上記の制御情報６０１を含む。
【００４２】
制御情報６０１は、特定エリアを含むエリアＩＤ６０１ａと、特定エリアで設定されるモード情報６０１ｂと、モード設定発動条件６０１ｃと、を含む。エリアＩＤ６０１ａは、特定エリアで同じモード設定のルールを共有する基地局５００であることを示す識別情報である。
【００４３】
特定エリアで設定されるモード情報６０１ｂは、特定エリアで設定されるモードの識別情報である。以下に特定エリアで設定されるモード情報６０１ｂの例を示す。
００１：着信音を鳴らさないマナーモード
００２：歩きスマホができないＷｅｂ接続およびゲーム禁止モード
００３：Ｗｅｂは閲覧できるけど通話を停止する通話停止モード
【００４４】
モード設定発動条件６０１ｃは、移動機１００（エリア内外判定部１０２）でのモード設定発動の判断に必要な基地局信号数と、発動の判定条件を制御する情報である。以下にモード設定発動条件６０１ｃの例を示す。
＝ｎ：基地局信号数が、発動条件数と同じ時に発動
≧ｎ：基地局信号数が、発動条件数以上の時に発動
＞ｎ：基地局信号数が、発動条件数より多い時に発動
≦ｎ：基地局信号数が、発動条件数以下の時に発動
＜ｎ：基地局信号数が、発動条件数未満の時に発動
【００４５】
実施の形態では、移動機１００（エリア内外判定部１０２）は、上記の制御情報６０１に基づき、基地局５００からの電波を受信しているか否かだけでなく、複数の基地局５００から受信した信号数を条件に加える。そして、複数の基地局５００の通信エリアの重なりに基づき一部の通信エリアを特定エリアにでき、複数の基地局５００からの信号により移動機１００は、特定エリア内外の判定が行える。電波強度は、近接する複数のエリアで複数のモード発動条件が成立した場合の優先度を決めるために用いる。
【００４６】
また、モード設定発動条件６０１ｃに、＝や≧以外の複雑な演算式を追加したり、個々の基地局５００からの信号を判別することで、さらに、詳細なエリア制御も可能となる。
【００４７】
図７〜図９は、実施の形態にかかる移動機の位置判定を説明する図である。移動機１００の位置の特定エリア内外判定の例をそれぞれ説明する。ここで、移動機１００のエリア内外判定部１０２が基地局５００から受信した信号の到達だけではなく、幾つの基地局５００からの電波を受信しているかを判断条件とすることで、各種形状の特定エリアの内外判定を行う例を説明する。
【００４８】
図７は、移動機１００が受信する信号の到達範囲が一部重複する２つの基地局５００で構成された特定エリアの例を示す。基地局５００ａと基地局５００ｂの信号到達範囲をそれぞれ円形で示す。基地局５００ａ，５００ｂから移動機１００への信号到達範囲は、領域１と、領域２と、領域３の総和となるが、領域１、領域２内の移動機１００で受信できる基地局数はそれぞれ１であり、領域３で移動機１００が受信できる基地局数は２である。
【００４９】
図７の特定エリア設定におけるモード設定発動条件別のモード設定発動の例を説明する。
１．モード設定発動条件を「＝１」とした場合、領域１と、領域２だけでモード設定が発動する。
２．モード設定発動条件を「≧１」とした場合、全ての領域１〜３でモード設定が発動する。
３．モード設定発動条件を「＝２」とした場合、領域３だけでモード設定が発動する。
【００５０】
図８は、移動機１００が受信する一方の基地局５００ａからの信号の到達範囲が、他方の基地局５００ｂからの信号の到達範囲を完全に包含する、２つの基地局の例を示す。信号の到達範囲の広い基地局５００ａと、到達範囲の狭い基地局５００ｂの信号の到達範囲をそれぞれ円形で示す。信号の到達範囲は、領域２は領域１に包含され、領域１で移動機１００が受信できる基地局数は１であり、領域２で移動機１００が受信できる基地局数は２である。
【００５１】
図８の特定エリア設定におけるモード設定発動条件別のモード設定発動の例を説明する。
１．モード設定発動条件を「≧１」とした場合、領域２を含む領域１でモード設定が発動する。
２．モード設定発動条件を「＝１」とした場合、領域１から領域２を除いたドーナツ状の範囲でモード設定が発動する。
３．モード設定発動条件を「＝２」とした場合、領域２だけでモード設定が発動する。
【００５２】
図９は、移動機１００が受信する信号の到達範囲が、一部重複する３つの基地局５００ａ〜５００ｃで構成された特定エリアの例を示す。図９の特定エリア設定におけるモード設定発動条件別のモード設定発動の例を説明する。
【００５３】
領域１，２，３で移動機１００が受信できる基地局数は１、領域４，５，６で移動機１００が受信できる基地局数は２、領域７で移動機１００が受信できる基地局数は３である。
【００５４】
１．モード設定発動条件を「＝１」とした場合、領域１，２，３だけでモード設定が発動する。
２．モード設定発動条件を「＝２」とした場合、領域４，５，６だけでモード設定が発動する。
３．モード設定発動条件を「＝３」とした場合、領域７だけでモード設定が発動する。
４．モード設定発動条件を「≧１」とした場合、全領域１〜７でモード設定が発動する。
５．モード設定発動条件を「≧２」とした場合、領域４〜７でモード設定が発動する。
６．モード設定発動条件を「≦２」とした場合、もっとも重なりが多い領域７を除く領域１〜６でモード設定が発動する。
【００５５】
図１０は、実施の形態にかかるモード情報の設定例を示すシーケンス図である。図４に示す構成例における移動機１００とサービスサイト３００との間の情報の送受信例を示す。サービスサイト３００は、移動機１００から、モード情報退避要求（Ｓ１００１）を受信すると、モード情報退避領域４０２に現在退避中のモード情報が無いことを確認してからモード情報退避許可（Ｓ１００２）を移動機１００に返す。モード情報退避許可（Ｓ１００２）を受信した移動機１００は、現在設定されているモード情報（Ｓ１００３）をサービスサイト３００に送信し、サービスサイト３００は、モード情報退避領域４０２にモード情報（Ｓ１００３）を退避（格納）し、移動機１００にモード情報退避完了（Ｓ１００４）を通知する。
【００５６】
また、サービスサイト３００は、移動機１００から、モード情報設定要求（Ｓ１００５）を受信した場合、移動機１００にモード情報設定許可（Ｓ１００６）を送信する。この後、サービスサイト３００は、モード情報設定要求（Ｓ１００５）のパラメータに指定された、プリセットモード情報（Ｓ１００７）を、移動機１００に送信し、移動機１００はモード情報設定完了（Ｓ１００８）をサービスサイト３００に通知する。
【００５７】
後述するが、移動機１００がモード情報設定要求Ｓ１００５のパラメータを省略して送信した場合、サービスサイト３００は、現在、モード情報退避領域４０２に退避中のモード情報（Ｓ１００７）を移動機１００に送信する。
【００５８】
図１１は、実施の形態にかかる移動機が送信する通信情報の内容例を示す図である。移動機１００がサービスサイト３００に送信する信号（フォーマット）１１００は、ヘッダ情報と、トレーラ情報のほかに、制御情報１１０１を含む。制御情報１１０１は、移動機ＩＤ１１０１ａと、リクエスト種別１１０１ｂと、パラメータ１１０１ｃとを含む。
【００５９】
移動機ＩＤ１１０１ａは、サービスサイト３００が移動機１００の個体を識別する情報である。リクエスト種別１１０１ｂは、移動機１００からサービスサイト３００に要求する時の識別情報であり、以下に例を示す。
ＭＯＤＥ＿ＳＡＶＥ：移動機１００側のモード情報（Ｓ１００３）を、サービスサイト３００に保存する
ＭＯＤＥ＿ＳＥＴ：サービスサイト３００側のモード情報（Ｓ１００７）を移動機１００に送信する
【００６０】
パラメータ１１０１ｃは、移動機１００からサービスサイト３００に要求する時の付加情報であり、以下に例を示す。リクエスト種別が、上記のＭＯＤＥ＿ＳＥＴ時に、以下のパラメータの指定を行う。
なし：現在退避中のモード情報
００１：着信音を鳴らさないマナーモード
００２：歩きスマホができないＷｅｂ接続およびゲーム禁止モード
００３：Ｗｅｂは閲覧できるが通話を停止する通話停止モード
【００６１】
（移動機の移動時の具体的制御例）
次に、移動機の移動時に特定エリアでのモード設定および解除等の具体的制御例について説明する。
【００６２】
図１２は、実施の形態にかかる移動機の移動時の基地局からの信号受信数の変化を示す図、図１３は、図１２に対応する移動機の移動時の基地局からの信号受信数の変化を示すシーケンス図である。図１２では、２つの基地局（図７参照）を例に、信号の到達範囲が部分的に重複する基地局５００ａと、基地局５００ｂで構成されるエリアにおいて、重複する領域３を特定エリアとし、マナーモードを設定する場合の例を説明する。移動機１００の移動経路Ｒを太線で示す。
【００６３】
図１２において、基地局５００ａおよび基地局５００ｂは、いずれも図６に示したフォーマットの信号６００を送信し、この例では、
エリアＩＤ：Ａ
エリアで設定されるモード情報：マナーモード
モード設定発動条件：≧２
として送信する。
【００６４】
移動機１００の信号受信部１０１は、信号受信数を周期的に監視する。移動機１００の移動経路Ｒに沿って説明すると、地点Ｒ１では、基地局５００ａからの信号が１個受信される。地点Ｒ２では、信号が受信できなくなる（０個）。地点Ｒ３では、基地局５００ｂからの信号が１個受信される。地点Ｒ４では、基地局５００ａから比較的弱い信号が１個と、基地局５００ｂからの比較的強い信号が１個受信される。地点Ｒ５では、基地局５００ａからの比較的強い信号が１個と、基地局５００ｂからの比較的弱い信号が１個受信される。地点Ｒ６では、基地局５００ａからの信号が１個受信される。
【００６５】
移動機１００の信号受信部１０１は、所定の受信周期内で受信した基地局５００の信号から、エリアＩＤ６０１ａ毎に、同一のエリアＩＤ（Ａ）で設定されるモード情報６０１ｂと、モード設定発動条件６０１ｃを抽出し、また、移動機１００が受信した信号数と、受信電波強度とをエリア内外判定部１０２へ出力する。
【００６６】
この際、図１２の地点Ｒ４において、信号受信部１０１から、エリア内外判定部１０２へ出力される情報は、
エリアＩＤ：Ａ
エリアで設定されるモード情報：マナーモード
モード設定発動条件：≧２
受信中の信号数：２
電波強度：３０、５０
となる。
【００６７】
エリア内外判定部１０２は、電波強度の強い情報を選択し、電波強度の弱い側の情報は破棄する。後述するが、複数のエリアＩＤが重複する領域（図１９参照）では、信号受信部１０１は、情報をエリアＩＤ数分、複数作成して、エリア内外判定部１０２へ渡す。そして、エリア内外判定部１０２は、信号受信部１０１から受け取った情報単位に、継続時間をカウントし、同一情報が一定時間継続した時に、モード設定発動条件の判断を実施する。
【００６８】
図１４は、実施の形態にかかる移動機に対するエリア内外判定部での判定状態を説明する図である。図１２に示した移動機１００の各地点Ｒ１〜Ｒ６におけるエリアＩＤ、エリアで設定されるモード情報、モード設定発動条件、基地局信号数、電波強度をそれぞれ示す。
【００６９】
移動機１００が図１２に示した地点Ｒ４から地点Ｒ５へ移動する間に、基地局５００からの信号の受信が一定時間継続した場合、エリア内外判定部１０２は、モード設定発動条件の判断を実施する。この場合、エリア内外判定部１０２は、モード設定発動条件６０１ｃについて、≧２が成立しているため、モード制御部１０３に、マナーモードの設定を依頼する。また、エリア内外判定部１０２は、条件判断が完了した情報を破棄し、以降は、モードの解除を待つ。
【００７０】
移動機１００は、図１２の特定エリア（領域３）内に位置している期間中は、エリア内外判定部１０２は、基地局５００からの信号の受信、継続時間のカウント、発動条件の判断を繰り返す。そして、エリア内外判定部１０２は、モード制御部１０３に、マナーモードの設定の依頼を繰り返すが、モード制御部１０３側で重複設定を回避する。
【００７１】
この後、移動機１００が図１２の地点Ｒ６へ移動して、特定エリア（領域３）の外側に移動したとき、信号受信部１０１からエリア内外判定部１０２へ出力される情報は、
エリアＩＤ：Ａ
エリアで設定されるモード情報：マナーモード
モード設定発動条件：≧２
受信中の信号数：１
電波強度：３０
となる。
【００７２】
エリア内外判定部１０２は、モード設定発動条件：≧２であることが一定時間継続すると、条件不成立となり、モード制御部１０３にマナーモードの解除を依頼する。そして、エリア内外判定部１０２は、条件判断が完了した情報を破棄する。
【００７３】
移動機１００が図１２の領域１あるいは領域２に位置している期間中は、エリア内外判定部１０２は、情報受信、継続時間のカウント、発動条件の判断を繰り返し、モード制御部１０３に、マナーモードの解除依頼を繰り返す。しかし、モード制御部１０３側では、重複解除を回避する。
【００７４】
上記の制御例によれば、エリア内外判定部１０２は、基地局５００からの同じ信号数の受信が一定期間継続することを、モード設定発動の条件とすることで、移動機１００が特定エリアの境界に位置する場合のモード情報の設定／解除の多発を防ぐ。
【００７５】
図１５は、実施の形態にかかる移動機のモード設定にかかる動作例を示すフローチャートである。移動機１００のプロセッサ２０１（モード制御部１０３）が特定エリア内で所定の動作モードへ移行させる制御例を示す。
【００７６】
はじめに、プロセッサ２０１は、特定エリアでのエリアモードが既に設定済みであるか判断する（ステップＳ１５０１）。エリアモードが設定済みであれば（ステップＳ１５０１：Ｙｅｓ）、プロセッサ２０１は、以上の処理を終了する。
【００７７】
エリアモードが未設定であれば（ステップＳ１５０１：Ｎｏ）、プロセッサ２０１は、特定エリアで設定されるモード情報６０１ｂのＩＤで、プリセットされたモード情報を検索する（ステップＳ１５０２）。この際、プロセッサ２０１は、移動機１００内にプリセットモード情報があるか判断する（ステップＳ１５０３）。移動機１００内にプリセットモード情報が保持されている場合（ステップＳ１５０３：Ｙｅｓ）、ステップＳ１５０５に移行する。
【００７８】
一方、移動機１００内に該当するモードへ移行するためのプリセットモード情報が保持されていない場合（ステップＳ１５０３：Ｎｏ）、プロセッサ２０１は、サービスサイト３００へモード情報設定要求を送信する。そして、移動機１００のプロセッサ２０１は、サービスサイト３００から受信したモード情報をプリセットモード情報領域１１３に追加し（ステップＳ１５０４）、ステップＳ１５０５に移行する。
【００７９】
ステップＳ１５０５では、プロセッサ２０１は、移動機１００の現在のモード情報をモード情報退避領域１１２に退避し、サービスサイト３００へモード情報退避要求（図１０のＳ１００１）を行う（ステップＳ１５０５）。この後、プロセッサ２０１は、モードＩＤに応じて特定エリアでのモード情報をモード情報設定領域１１１に設定し（ステップＳ１５０６）、以上の処理を終了する。これにより、移動機１００は、特定エリアでモード情報が示す動作モード（例えばマナーモード）に移行する。
【００８０】
図１６は、実施の形態にかかる移動機のモード設定解除にかかる動作例を示すフローチャートである。移動機１００のプロセッサ２０１（モード制御部１０３）が特定エリアから退避した際に以前の動作モードへ復旧させる制御例を示す。
【００８１】
はじめに、プロセッサ２０１は、モード情報退避領域１１２に退避中のモード情報があるか判断する（ステップＳ１６０１）。退避中のモード情報があれば（ステップＳ１６０１：Ｙｅｓ）、ステップＳ１６０４へ移行する。
【００８２】
退避中の、モード情報がなければ（ステップＳ１６０１：Ｎｏ）、プロセッサ２０１は、サービスサイト３００に退避中の移動機１００のモード情報があるか判断する（ステップＳ１６０２）。サービスサイト３００（モード情報退避領域４０２）に退避中のモード情報があれば（ステップＳ１６０２：Ｙｅｓ）、移動機１００のプロセッサ２０１は、サービスサイト３００へ、モードＩＤなしでモード情報設定要求（図１０のＳ１００５）を行う。そして、プロセッサ２０１は、サービスサイト３００（モード情報退避領域４０２）に退避中のモード情報を受け取り（ステップＳ１６０３）、ステップＳ１６０４へ移行する。サービスサイト３００に退避中のモード情報がなければ（ステップＳ１６０２：Ｎｏ）、プロセッサ２０１は、以上の処理を終了する。
【００８３】
ステップＳ１６０４では、プロセッサ２０１は、モード情報退避領域１１２の情報を、モード情報設定領域１１１へ設定し（ステップＳ１６０４）、以上の処理を終了する。
【００８４】
図１７は、実施の形態にかかる移動機のモード制御によるモード情報のデータ移動状態を説明する図である。移動機１００のプロセッサ２０１（モード制御部１０３）が実行する処理内容を説明する。
【００８５】
モード設定時、プロセッサ２０１は、はじめに、モード情報設定領域１１１に格納されている移動機１００の現在のモード情報をモード情報退避領域１１２に退避させる（ステップＳ１７０１）。この後、プロセッサ２０１は、プリセットモード情報の領域１１３から特定エリアに対応するプリセットモード情報を読み出し、モード情報設定領域１１１に設定する(ステップＳ１７０２)。
【００８６】
モード解除時、プロセッサ２０１は、モード情報退避領域１１２に退避されているモード情報を読み出し、モード情報設定領域１１１に設定する（ステップＳ１７０３）。
【００８７】
これにより、移動機１００（プロセッサ２０１）は、モード情報設定領域１１１に設定されているモード情報にしたがった動作状態（動作モード）を実行する。
【００８８】
（各種形状の特定エリアの構築例）
図１８〜図２０は、実施の形態にかかる各種形状の特定エリアの構築例を示す図である。図１８は、三角形の特定エリアの構築例であり、３つの基地局５００ａ〜５００ｃを平面でみて三角形の各頂点に配置し、各基地局５００ａ〜５００ｃのエリアが他の基地局５００ａ〜５００ｃの位置にそれぞれ重なるように配置する。
【００８９】
そして、各基地局５００ａ〜５００ｃを劇場の３つの隅に設置し、劇場内で動作モードをマナーモードにする例で説明する。３つの基地局５００ａ〜５００ｃにより、基地局信号数は３であり、モード情報をマナーモードとすることで、図中の三角形で示される劇場内領域１８００の移動機１００のみをマナーモード対象とするモード制御が行える。
【００９０】
図１９は、細長い特定エリアの構築例であり、複数の基地局を２列としてそれぞれ長さ方向に複数配置し、一方の列の基地局５００ａ〜５００ｅのエリアの端と、他方の列の基地局５００ｆ〜５００ｊのエリアの端とが重なるように配置する。
【００９１】
このような例は、例えば、鉄道駅のプラットホーム１９００の縁をＷｅｂ閲覧禁止設定として適用できる。この場合、幅方向の一対の基地局５００は、例えば、基地局５００ａと基地局５００ｆ、基地局５００ｂと基地局５００ｇ、基地局５００ｃと基地局５００ｈ、基地局５００ｄと基地局５００ｉ、基地局５００ｅと基地局５００ｊとなる。これら幅方向の一対の基地局５００同士は、同じエリアＩＤと、基地局信号数＝１で、モード情報としてＷｅｂ閲覧禁止モードが設定される信号を発信する。
【００９２】
これにより、同一エリアＩＤの基地局の信号を２個受信する領域１９０１がプラットホーム１９００の中央部分で長さ方向に連続することになる。そして、プラットホーム１９００の中央以外では、Ｗｅｂ閲覧禁止とし、移動機１００の操作に夢中となり危険ないわゆる「歩きスマホ」ができなくなるモード制御が行える。
【００９３】
図２０は、高さ方向の階数別のモード制御を説明する図であり、ビルの１階の空間２００１では、移動機１００の通信を規制せず、２階の空間２００２での通信を規制する例を示す。
【００９４】
上記の各例では、平面的な適用例を説明したが、図２０に示すように、実施の形態の特定エリアとして３次元領域への適用も可能である。例えば、ビルの２階が映画館であり、２階の空間（映画館の鑑賞空間内）２００２の各隅には、それぞれ基地局５００ａ〜５００ｈを配置する。
【００９５】
各基地局５００ａ〜５００ｈは、送信する信号に、モード情報としてマナーモードを設定し、特定エリア内であることを判定する信号数（８）を移動機１００に通知する。
【００９６】
この場合、ビルの２階の空間（映画館の干渉区間内）２００２に位置する移動機１００ａは、受信信号数が８であり、特定エリア内に位置していると判断し、マナーモードに移行する。また、ビルの２階以外（例えば、１階や３階または、映画館のロビー等に位置する移動機１００では、受信信号数が８未満となるため、いずれもエリア外と判断し、マナーモードに移行せず、通信規制を受けずに通常の通信が行える。
【００９７】
図１８〜図２０に示した基地局５００としては、ナノセル（ピコセル）、またはＷｉ−Ｆｉの発信機（アクセスポイント）を用いることもできる。
【００９８】
以上説明した実施の形態によれば、複数の基地局からの信号に基づき、特定エリア内での移動機の動作モードを制御することができ、移動機は、ＧＰＳや電波強度に基づく移動機の位置検出が不要として特定エリア内であるか判断できる。複数の基地局は、それぞれ円形の電波到達範囲の一部を重ねることで、重なった部分を特定エリアとして設定できる。これにより、映画館、劇場、コンサートホールなどでは、移動機はユーザ操作がなくても動作モードを自律的にマナーモード等に切り替えることができる。
【００９９】
また、複数の基地局の配置に基づき各種形状の特定エリアを設定できる。特定エリアとして、多角形、例えば三角形の劇場や、細長い駅のプラットホームに対応できるほか、高さ方向に複数の基地局を配置することで、特定階を特定エリアとすることもできる。このように、実施の形態によれば各種形状の特定エリアに柔軟に対応して移動機の動作モードを制御できるようになる。
【０１００】
なお、本実施の形態で説明した移動機の動作モード制御方法は、予め用意された制御プログラムを対象機器（移動機）等のコンピュータ（ＣＰＵ等のプロセッサ）で実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【０１０１】
上述した実施の形態に関し、さらに以下の付記を開示する。
【０１０２】
（付記１）複数の基地局から受信した信号に基づき、現在位置が特定エリアであるか否かを判断し、前記特定エリア内のときには前記信号に含まれる動作モードに基づき装置の動作モードを切り替える制御部を備える、
ことを特徴とする移動機。
【０１０３】
（付記２）前記信号には、前記特定エリアの識別情報と、前記特定エリア内での動作モードの情報と、前記動作モードを実行するために必要な複数の前記基地局から受信した信号数の情報とを含み、
前記制御部は、前記識別情報と、前記動作モードの情報と、前記信号数の情報とに基づき、前記動作モードへの移行を判断する、
ことを特徴とする付記１に記載の移動機。
【０１０４】
（付記３）前記制御部は、さらに、前記信号数の情報を複数の前記基地局から所定期間継続して受信することで、前記動作モードへの移行を判断する、
ことを特徴とする付記２に記載の移動機。
【０１０５】
（付記４）前記制御部は、前記動作モードへの移行時には、前記特定エリアに進入する以前の動作モードの情報を退避保持し、前記特定エリアからの退出時には、退避保持した動作モード情報に復旧させる、
ことを特徴とする付記１〜３のいずれか一つに記載の移動機。
【０１０６】
（付記５）前記制御部は、現在の動作モードの情報を格納するモード情報設定領域と、以前の動作モードの情報を退避格納するモード情報退避領域と、を含み、
前記モード情報設定領域に設定された動作モードの情報にしたがった動作モードで装置の動作を制御し、
前記特定エリア外への退出時には、前記モード情報退避領域に退避格納した前記以前の動作モードの情報を前記モード情報設定領域に書き戻す、
ことを特徴とする付記４に記載の移動機。
【０１０７】
（付記６）前記制御部は、現在の動作モードの情報を格納するモード情報設定領域を含み、
以前の動作モードの情報を外部機器に送信し、外部機器のモード情報退避領域で保持させ、前記モード情報設定領域に設定された動作モードの情報にしたがった動作モードで装置の動作を制御し、
前記特定エリア外への退出時には、前記外部機器から前記以前の動作モードの情報を受信し、前記モード情報設定領域に書き戻す、
ことを特徴とする付記４に記載の移動機。
【０１０８】
（付記７）前記制御部は、あらかじめ複数の種別の動作モードの情報をプリセット記憶し、前記信号に含まれる動作モードに対応した動作モードの情報に基づき装置の動作を制御する、
ことを特徴とする付記１〜６のいずれか一つに記載の移動機。
【０１０９】
（付記８）前記制御部は、前記信号に含まれる動作モードに対応した動作モードの情報を外部機器から取得し、取得した前記動作モードの情報に基づき装置の動作を制御する、
ことを特徴とする付記１〜６のいずれか一つに記載の移動機。
【０１１０】
（付記９）移動機と、複数の基地局とを含むネットワークシステムにおいて、
前記移動機は、複数の前記基地局から受信した信号に基づき、現在位置が特定エリアであるか否かを判断し、前記特定エリア内のときには前記信号に含まれる動作モードに基づき装置の動作モードを切り替える制御部を備え、
複数の前記基地局は、それぞれ電波の到達範囲を一部重ならせ、重なった部分を前記特定エリアとして設定し、それぞれ同一の前記特定エリアの識別情報と、前記特定エリア内での動作モードの情報と、前記動作モードを実行させるために必要な複数の前記基地局から受信すべき信号数の情報とを含み、前記移動機に送信する、
ことを特徴とするネットワークシステム。
【０１１１】
（付記１０）さらに、前記移動機に通信接続するサービスサイトを含み、
前記移動機は、現在の動作モードの情報を格納するモード情報設定領域を含み、以前の動作モードの情報を前記サービスサイトに送信し、
前記サービスサイトは、受信した以前の動作モードの情報を前記モード情報退避領域に保持し、
前記移動機は、前記モード情報設定領域に設定された動作モードの情報にしたがった動作モードで装置の動作を制御し、前記特定エリア外への退出時には、前記サービスサイトから前記以前の動作モードの情報を受信し、前記モード情報設定領域に書き戻す、
ことを特徴とする付記９に記載のネットワークシステム。
【０１１２】
（付記１１）前記サービスサイトは、前記移動機の複数の種別の動作モードの情報をプリセット記憶し、
前記移動機からの要求時に、対応した動作モードの情報を前記移動機に送信する、
ことを特徴とする付記９または１０に記載のネットワークシステム。
【０１１３】
（付記１２）複数の前記基地局は、
前記特定エリアの形状にしたがい、前記特定エリア部分にそれぞれの通信範囲が重なるよう配置したことを特徴とする付記９〜１１のいずれか一つに記載のネットワークシステム。
【０１１４】
（付記１３）前記特定エリアが多角形形状であり、複数の前記基地局は、多角形形状の前記特定エリア部分にそれぞれの通信範囲の端が重なるよう配置したことを特徴とする付記１２に記載のネットワークシステム。
【０１１５】
（付記１４）前記特定エリアが細長い形状であり、複数の前記基地局は、細長い形状の前記特定エリア部分にそれぞれの通信範囲の端が重なるよう配置したことを特徴とする付記１２に記載のネットワークシステム。
【０１１６】
（付記１５）前記特定エリアが高さを有する３次元形状であり、複数の前記基地局は、高さを有する前記特定エリア部分の所定高さ部分にそれぞれの通信範囲の端が重なるよう配置したことを特徴とする付記１２に記載のネットワークシステム。
【０１１７】
（付記１６）移動機が実行する動作モード制御方法において、
前記移動機は、複数の基地局から受信した信号に基づき、現在位置が特定エリアであるか否かを判断し、前記特定エリア内のときには前記信号に含まれる動作モードに基づき自装置の動作モードを切り替える、
ことを特徴とする動作モード制御方法。
【０１１８】
（付記１７）移動機と、複数の基地局とを含むネットワークシステムにおける移動機の動作モード制御方法において、
前記移動機は、複数の前記基地局から受信した信号に基づき、現在位置が特定エリアであるか否かを判断し、前記特定エリア内のときには前記信号に含まれる動作モードに基づき装置の動作モードを切り替え、
複数の前記基地局は、それぞれ電波の到達範囲を一部重ならせ、重なった部分を前記特定エリアとして設定し、それぞれ同一の前記特定エリアの識別情報と、前記特定エリア内での動作モードの情報と、前記動作モードを実行させるために必要な複数の前記基地局から受信すべき信号数の情報とを含み、前記移動機に送信する、
ことを特徴とする動作モード制御方法。
【０１１９】
（付記１８）前記信号には、前記特定エリアの識別情報と、前記特定エリア内での動作モードの情報と、前記動作モードを実行するために必要な複数の前記基地局から受信した信号数の情報とを含み、
前記移動機は、前記識別情報と、動作モードの情報と、前記信号数の情報とに基づき、前記動作モードへの移行を判断する、
ことを特徴とする付記１６または１７に記載の動作モード制御方法。
【符号の説明】
【０１２０】
１００  移動機
１０１  信号受信部
１０２  エリア内外判定部
１０３  モード制御部
１１１  モード情報設定領域
１１２  モード情報退避領域
１１３  プリセットモード情報領域
２０１  プロセッサ
２０２  メインメモリ
２０３  拡張メモリ
２０４  通信部
２０５  液晶ドライバ
２０６  システムバス
２０７  液晶表示部
３００  サービスサイト
４０１  移動機連携部
４０２  モード情報退避領域
４０３  プリセットモード情報
５００  基地局
６０１  制御情報
【図１】
2017204841.tif 000003
【図２】
2017204841.tif 000004
【図３】
2017204841.tif 000005
【図４】
2017204841.tif 000006
【図５Ａ】
2017204841.tif 000007
【図５Ｂ】
2017204841.tif 000008
【図６】
2017204841.tif 000009
【図７】
2017204841.tif 000010
【図８】
2017204841.tif 000011
【図９】
2017204841.tif 000012
【図１０】
2017204841.tif 000013
【図１１】
2017204841.tif 000014
【図１２】
2017204841.tif 000015
【図１３】
2017204841.tif 000016
【図１４】
2017204841.tif 000017
【図１５】
2017204841.tif 000018
【図１６】
2017204841.tif 000019
【図１７】
2017204841.tif 000020
【図１８】
2017204841.tif 000021
【図１９】
2017204841.tif 000022
【図２０】
2017204841.tif 000023